(57)【要約】【課題】信頼性が高いメモリーカード、このメモリーカードを備えたメインボード及びコンピュータを提供すること。【解決手段】本発明に係るメモリーカードは、１つの電源端と、少なくとも１つの記憶チップ及び１つの電圧変換回路と、を備える。前記電源端は、前記メモリーカードの外部の電気回路により供給される電源電圧を直接に受信し、前記電圧変換回路は、前記電源端から伝送されてきた該電源電圧を、前記少なくとも１つの記憶チップが正常的に作動することに必要な駆動電圧に変換した後、該駆動電圧を前記少なくとも１つの記憶チップに供給する。【選択図】図１
2013084254.tif 000002
【特許請求の範囲】
【請求項１】
１つの電源端と、少なくとも１つの記憶チップと、１つの電圧変換回路と、を備えるメモリーカードであって、前記電源端は、前記メモリーカードの外部の電気回路により供給される電源電圧を直接に受信し、前記電圧変換回路は、前記電源端から伝送されてきた該電源電圧を、前記少なくとも１つの記憶チップが正常的に作動することに必要な駆動電圧に変換してから、該駆動電圧を前記少なくとも１つの記憶チップに供給することを特徴とするメモリーカード。
【請求項２】
前記少なくとも１つの記憶チップの数量が複数である場合、複数の前記記憶チップが正常的に作動することに必要な駆動電圧は同じであることを特徴とする請求項１に記載のメモリーカード。
【請求項３】
少なくとも１つのスロット及び少なくとも１つのメモリーカードを備え、且つ各々の前記メモリーカードは、各々の前記スロットにそれぞれ対応して挿入接続されるメインボードであって、前記メモリーカードは、少なくとも１つの前記記憶チップ及び１つの前記電圧変換回路を備え、前記メインボードからの電源電圧は、前記スロットを介して、前記メモリーカードに伝送され、該電源電圧は前記メインボードの前記メモリーカードに供給する基準電圧とし、前記電圧変換回路は、前記基準電圧を受信し、且つ該基準電圧を前記記憶チップが正常的に作動することに必要な駆動電圧に変換した後、該駆動電圧を前記記憶チップに供給することを特徴とするメインボード。
【請求項４】
前記スロットは１つの電源ピンを備え、前記メモリーカードは１つの電源端を備え、前記電源電圧は前記電源ピンを介して、前記電源端に伝送されることを特徴とする請求項３に記載のメインボード。
【請求項５】
各々の前記メモリーカードの記憶チップの数量が複数である場合、複数の前記記憶チップが正常的に作動することに必要な駆動電圧は同じであることを特徴とする請求項３に記載のメインボード。
【請求項６】
少なくとも１つのメモリーカード及びメインボードを備えるコンピュータであって、
前記メモリーカードは、１つの電源端と、少なくとも１つの記憶チップと、１つの電圧変換回路と、を備え、前記電源端は、前記メインボードにより供給される基準電圧を直接に受信し、前記電圧変換回路は、前記電源端から伝送されてきた該基準電圧を、前記少なくとも１つの記憶チップが正常的に作動することに必要な駆動電圧に変換してから、該駆動電圧を前記少なくとも１つの記憶チップに供給することを特徴とするコンピュータ。
【請求項７】
前記メインボードには、少なくとも１つのスロットが設けられ、前記少なくとも１つのメモリーカードは前記スロットに対応して挿入接続され、該コンピュータからの電源電圧は前記スロットを介して、前記メモリーカードに伝送され、該電源電圧は前記コンピュータの前記メモリーカードに供給する基準電圧とし、前記電圧変換回路は、前記基準電圧を受信し、且つ該基準電圧を前記記憶チップが正常的に作動することに必要な駆動電圧に変換した後、該駆動電圧を前記記憶チップに供給することを特徴とする請求項６に記載のコンピュータ。
【発明の詳細な説明】
【技術分野】
【０００１】
本発明は、記憶装置に関し、特にコンピュータのメインボードに装着される記憶装置に関するものである。
【背景技術】
【０００２】
技術の発展に伴い、各種の電子装置は人々の日常生活の中で、益々重要な役割を果たしている。例えば、記憶装置は、電子装置の重要な部品として、その安定性及び使用寿命が、電子装置全体に直接に影響を与える。しかし、実際の使用過程において、該メモリーカードは損傷し易いため、正常に作動することができず、且つ使用寿命も短い。
【０００３】
更に、具体的にその原因を説明すると、従来の研究によれば、異なるタイプ或いは同一タイプの中の異なる型番のメモリーカードの駆動電圧は、常に異なっている。例えば、ＤＤＲ３メモリーカードは２種類の型番を備え、該２種類の型番の駆動電圧は互いに異なり、１種のＤＤＲ３メモリーカードの駆動電圧は１．５Ｖであり、もう一種の、電力消費がより低いＤＤＲ３メモリーカードの駆動電圧は１．３５Ｖである。従って、この２種類のＤＤＲ３メモリーカードに対して、異なる駆動電圧をそれぞれ供給しなければならない。
【０００４】
通常、コンピュータが起動すると、コンピュータのメインボードは、各々のメモリーカードに駆動電圧を出力する。この際、該駆動電圧は全て同一電圧（例えば１．５Ｖ）である。次いで、前記メインボードの中央処理装置（ＣＰＵ）が始動すると、あらゆるメモリーカードの型番及び駆動電圧を検出し、各々のメモリーカードの型番に基づいて、それに適合する駆動電圧を改めて提供する。しかし、この過程において、１．３５Ｖで作動するメモリーカードは、１．５Ｖの駆動電圧を所定時間受けるので、該１．５Ｖの駆動電圧は、駆動電圧が１．３５Ｖであるメモリーカードの記憶チップに損害を与える。これにより、前記メモリーカードの安定性は低くなり、使用寿命も短くなる。
【発明の概要】
【発明が解決しようとする課題】
【０００５】
そこで、本発明は以上の問題点に鑑みてなされたものであり、信頼性が高いメモリーカード、このメモリーカードを備えたメインボード及びコンピュータを提供することを目的とする。
【課題を解決するための手段】
【０００６】
上記の課題を解決するために、本発明に係るメモリーカードは、１つの電源端と、少なくとも１つの記憶チップ及び１つの電圧変換回路と、を備える。前記電源端は、前記メモリーカードの外部の電気回路により供給される電源電圧を直接に受信し、前記電圧変換回路は、前記電源端から伝送されてきた該電源電圧を、前記少なくとも１つの記憶チップが正常的に作動することに必要な駆動電圧に変換した後、該駆動電圧を前記少なくとも１つの記憶チップに供給する。
【０００７】
また、上記の課題を解決するために、本発明に係るメインボードは、少なくとも１つのスロット及び少なくとも１つのメモリーカードを備え、且つ各々のメモリーカードは各々のスロットにそれぞれ対応して挿入接続される。前記メモリーカードは、少なくとも１つの記憶チップ及び１つの電圧変換回路を備え、前記メインボードからの電源電圧は前記スロットを介して、前記メモリーカードに伝送され、該電源電圧は前記メインボードの前記メモリーカードに供給する基準電圧とし、前記電圧変換回路は、前記基準電圧を受信し、且つ該基準電圧を前記記憶チップが正常的に作動することに必要な駆動電圧を変換した後、該駆動電圧を前記記憶チップに供給する。
【０００８】
また、上記の課題を解決するために、本発明に係るコンピュータは、少なくとも１つのメモリーカード及びメインボードを備える。前記メモリーカードは、１つの電源端、少なくとも１つの記憶チップ及び１つの電圧変換回路を備え、前記電源端は、前記メインボードにより供給される基準電圧を直接に受信し、前記電圧変換回路は、前記電源端から伝送されてきた該基準電圧を、前記少なくとも１つの記憶チップが正常的に作動することに必要な駆動電圧に変換した後、該駆動電圧を前記少なくとも１つの記憶チップに供給する。
【発明の効果】
【０００９】
従来の技術とは異なり、本発明のメモリーカードは、電圧変換回路を介して入力された電源信号を、前記メモリーカードの複数の記憶チップに対応する駆動電圧に変換した後、該駆動電圧を複数の前記記憶チップにそれぞれ出力させる。従って、前記メモリーカードに供給された電圧が何Ｖであっても、前記メモリーカードの各々の記憶チップは適当な駆動電圧の下で作動するので、各々の記憶チップ及びメモリーカード全体の安定性を高めると共に、その使用寿命を延ばすことができる。
【図面の簡単な説明】
【００１０】
【図１】本発明の実施形態に係るメモリーカードの内部構成を示すブロック図である。
【図２】図１に示したメモリーカードを備えたコンピュータの構成を示すブロック図である。
【発明を実施するための形態】
【００１１】
図１に示すように、本発明の実施形態に係るメモリーカード１０は、１つの電源端１０１と、少なくとも１つの記憶チップ１１０及び１つの電圧変換回路１３０と、を備える。前記電圧変換回路１３０は、前記電源端１０１に電気的に接続されると共に、少なくとも１つの前記記憶チップ１１０にも電気的に接続される。
【００１２】
本実施形態において、前記メモリーカード１０は、複数の記憶チップ１１０を備える。また、前記メモリーカード１０は複数の電気ピン（図示せず）をさらに備え、前記電源端１０１は複数の該電気ピンの中の１つである。前記メモリーカード１０は、複数の前記電気ピンを介して、外部電気回路と信号の伝送及び交換を行う。
【００１３】
前記電源端１０１は、前記メモリーカード１０の外部の電源回路から電圧を獲得するために用いられる。前記電圧変換回路１３０は、各々の前記記憶チップ１１０に駆動電圧を供給して、該記憶チップ１１０を正常的に作動させる。具体的には、前記電圧変換回路１３０は、前記電源端１０１からの電圧信号を受信して、この電圧を駆動電圧に変換し、且つ電圧出力端１３１を介して、各々の前記記憶チップ１１０に出力する。
【００１４】
本実施形態において、前記電圧変換回路１３０は、電圧を下げることができる電気回路である。例えば、前記電圧変換回路１３０は、１．５Ｖの電圧を１．３５Ｖの電圧に変換することができる。つまり、前記電圧変換回路１３０の受信した電源電圧に対する変換量を、実際の必要に応じて設定することができる。例えば、前記電圧変換回路１３０は、１．８Ｖ、２．６Ｖ及び５Ｖの電圧も１．３５Ｖに変換することができるが、これらに限定されるものではない。
【００１５】
また、本実施形態において、前記電圧変換回路１３０は、受信した電源電圧を上げることもできる。例えば、１．３５Ｖの電圧を１．５Ｖ、１．８Ｖ或いは２．６Ｖに変換することができる。好ましくは、前記電圧変換回路１３０は集積回路であり、例えば、ディジタル直流／直流電源モジュールの集積チップＺＬ９１０１Ｍを介して作動する。
【００１６】
複数の前記記憶チップ１１０は、前記電圧出力端１３１に電気的にそれぞれ接続され、且つ前記電圧出力端１３１から前記電圧変換回路１３０により変換されてなる駆動電圧を受信する。複数の前記記憶チップ１１０は、データ格納機能をそれぞれ有し、入力されたデータを受信して格納する。また、複数の前記記憶チップ１１０は、他の設備をサポートでき、この他の設備が格納したデータを読み出す機能も有する。つまり、複数の前記記憶チップ１１０は、前記メモリーカード１０の外部の他の電気回路或いは電子部品とデータをやりとりして、データを格納することができる。本実施形態において、複数の前記記憶チップ１１０は、同じ駆動電圧の下で正常的に作動する。
【００１７】
また、複数の前記記憶チップ１１０を前記メモリーカード１０の外部の回路モジュールとデータを交換させるため、前記メモリーカード１０に他の補助回路を設けることが必要である。
【００１８】
本発明のメモリーカード１０は、構造が簡単で集積度が高い前記電圧変換回路１３０を介して、入力された電源電圧信号を複数の前記記憶チップ１１０に適合する駆動電圧に変換してから、該駆動電圧を各々の前記記憶チップ１１０に出力する。従って、前記メモリーカード１０に入力した電源電圧は何ボルト（Ｖ）であっても、複数の前記記憶チップ１１０は、適当な駆動電圧を得ることができる。これにより、本発明のメモリーカード１０の前記記憶チップ１１０は、適当な駆動電圧の下で作動するので、従来技術における適当でない駆動電圧が前記記憶チップ１１０に加えられて、該記憶チップ１１０を損傷させる問題を効果的に防止し、前記メモリーカード１０全体の使用寿命を延ばし、さらに該メモリーカード１０を備えるメインボード及びコンピュータの安定性を高め、その使用寿命を延ばすことできる。 
【００１９】
図２は、本発明の上記の実施形態に係るメモリーカード１０を備えたコンピュータ３０を示している。前記コンピュータ３０は、少なくとも１つの前記メモリーカード１０及び１つの前記メインボード２０を備え、前記メモリーカード１０は、前記メインボード２０に設けられている。本実施形態において、前記メインボード２０は、前記コンピュータ３０のホスト内に装着される回路基板である。
【００２０】
前記メインボード２０は回路基板２１０を含む。前記回路基板２１０には、複数の回路モジュールが設けられている。中でも、電源電圧を出力するための少なくとも１つの電源モジュール（図示せず）を含む。複数の前記回路モジュールは、前記コンピュータ３０のデータ処理機能を実現し、且つ前記コンピュータ３０のホストの作動状態及び前記ホストに接続される他の設備の作動状態をコントロールする。
【００２１】
また、前記回路基板２１０は、少なくとも１つのスロット２１１を備え、該スロット２１１は複数の接続ピンを備える。複数の前記接続ピンの内の少なくとも１つは、電源電圧を受信するための電源ピン２１３である。前記電源電圧は、前記回路基板２１０がその前記スロット２１１から出力する基準電圧のことである。
【００２２】
前記メモリーカード１０は、前記メインボード２０にデータ格納機能を提供する。より詳しく説明すると、前記メモリーカード１０は、前記回路基板２１０中の各種の前記回路モジュールのデータを格納すると共に、複数の前記回路モジュールが前記メモリーカード１０から格納されたデータを読み出すことを支持する。
【００２３】
前記メモリーカード１０が前記スロット２１１の中に挿入されると、前記メモリーカード１０の複数の前記電気ピンは、前記スロット２１１の複数の前記接続ピンと各々対応して、電気的に接続される。これと同時に、前記メモリーカード１０の前記電源端１０１は、前記スロット２１１の前記電源ピン２１３に接続され、前記電源ピン２１３から基準電圧とする電源電圧を受信する。
【００２４】
次いで、前記電圧変換回路１３０は、前記電源端１０１により伝送されてきた基準電圧を受信し、且つ該基準電圧を前記メモリーカード１０が正常的に作動するために必要な駆動電圧に変換させた後、該駆動電圧を複数の前記記憶チップ１１０にそれぞれ出力して、複数の前記記憶チップ１１０を正常的に作動させる。
【００２５】
本発明において、前記メモリーカード１０は、それ自身が前記電圧変換回路１３０を有するので、前記コンピュータ３０の前記回路基板２１０中の対応する回路モジュールは、前記メモリーカード１０の型番或いは駆動電圧を読み取った後、前記メモリーカード１０に対する適当な駆動電圧の供給を必要とせずとも、前記回路基板２１０の作動量を減らし、該回路基板２１０の作動効率を向上させることができる。
【００２６】
以上、本発明の好適な実施形態について詳細に説明したが、本発明は前記実施形態に限定されるものではなく、本発明の範囲内で種々の変形、又は修正が可能であり、該変形、又は修正も本発明の特許請求の範囲内に含まれるものであることは言うまでもない。
【符号の説明】
【００２７】
１０                メモリーカード
２０                メインボード
３０                コンピュータ
１０１              電源端
１１０              記憶チップ
１３０              電圧変換回路
１３１              電圧出力端
２１０              回路基板
２１１              スロット
２１３              電源ピン
【図１】
2013084254.tif 000003
【図２】
2013084254.tif 000004